(57)【要約】【課題】  広告内容が同一のものを発側端末及び着側端末の両者に配信可能とし、広告効果を向上させることが可能な映像配信システムを提供する。【解決手段】  ＷＷＷサーバ４は発側利用者端末５からのｈｔｔｐリクエストを受信すると、呼制御−映像配信連携サーバ２へ呼処理、映像配信リクエストを送信する。呼制御−映像配信連携サーバ２はそのリクエストを受信すると、発側利用者端末５との間で発側呼制御、映像配信セットアップを行い、発側映像配信リクエストを映像配信サーバ３に送信する。映像配信サーバ３はそのリクエストを受信すると、発側利用者端末５に映像配信を行う。呼制御−映像配信連携サーバ２は着側利用者端末６との間で着側呼制御、映像配信セットアップを行い、着側映像配信リクエストを映像配信サーバ３に送信する。映像配信サーバ３はそのリクエストを受信すると、着側利用者端末６に映像配信を行う。【選択図】      図１
2006352389.tif 000002
【特許請求の範囲】
【請求項１】
少なくとも音声通話機能を含む利用者端末と、前記利用者端末に映像を配信する映像配信サーバとを含む映像配信システムであって、
前記利用者端末からの発呼時に発側の利用者端末と前記映像配信サーバとの接続と、着側の利用者端末と前記映像配信サーバとの接続と、前記発側の利用者端末と前記着側の利用者端末との接続とを行う呼制御−映像配信連携サーバを有することを特徴とする映像配信システム。
【請求項２】
前記呼制御−映像配信連携サーバは、呼処理プロトコルを用いて、前記発呼時に前記発側の利用者端末と前記映像配信サーバとの間のセッションの確立と、前記着側の利用者端末と前記映像配信サーバとの間のセッション確立と、前記発側の利用者端末と前記着側の利用者端末との間の通話セッションの確立とを行うことを特徴とする請求項１記載の映像配信システム。
【請求項３】
前記呼制御−映像配信連携サーバは、前記発呼時に、前記発側利用者端末と前記映像配信サーバとの間の音声及び前記映像の双方向セッションの構築と、前記着側利用者端末と前記映像配信サーバとの間の前記音声及び前記映像の双方向セッションの構築とを行うことを特徴とする請求項１記載の映像配信システム。
【請求項４】
前記利用者端末は、少なくともＷＷＷ（Ｗｏｒｌｄ  Ｗｉｄｅ  Ｗｅｂ）ブラウザ機能と映像受信機能とを含むことを特徴とする請求項２または請求項３記載の映像配信システム。
【請求項５】
前記利用者端末は、前記発呼を少なくともｈｔｔｐ（ｈｙｐｅｒ  ｔｅｘｔ  ｔｒａｎｓｆｅｒ  ｐｒｏｔｏｃｏｌ）リクエストによって行い、
前記ｈｔｔｐリクエストの受信時に当該情報を前記呼制御−映像配信連携サーバに送信するＷＷＷサーバを含むことを特徴とする請求項４記載の映像配信システム。
【請求項６】
前記利用者端末は、前記ＷＷＷブラウザ機能を用いて相手先電話番号の指定と前記映像の選択とを行うことを特徴とする請求項４または請求項５記載の映像配信システム。
【請求項７】
前記呼制御−映像配信連携サーバは、前記利用者端末が前記ＷＷＷブラウザ機能を用いて前記映像の選択を行わない場合に当該利用者端末への前記映像を選択することを特徴とする請求項４から請求項６のいずれか記載の映像配信システム。
【請求項８】
前記利用者端末は、少なくともテレビ電話端末とパーソナルコンピュータとキヨスク端末とのいずれかであることを特徴とする請求項４から請求項７のいずれか記載の映像配信システム。
【請求項９】
前記呼制御−映像配信連携サーバは、前記映像の配信中に前記利用者端末からの要求に応じて前記映像配信サーバに発側映像変更要求と着側映像変更要求とを送信して前記発側の利用者端末及び前記着側の利用者端末への配信中の映像を変更することを特徴とする請求項１から請求項８のいずれか記載の映像配信システム。
【請求項１０】
前記呼制御−映像配信連携サーバは、前記利用者端末からの要求に応じて前記映像の一時停止、早送り、巻き戻しのいずれかの操作と、前記映像の他の映像への変更とのいずれかを前記映像配信サーバへの前記発側映像変更要求及び前記着側映像変更要求の送信にて行わせることを特徴とする請求項９記載の映像配信システム。
【請求項１１】
少なくとも音声通話機能を含む利用者端末と、前記利用者端末に映像を配信する映像配信サーバとを含む映像配信システムに用いられる呼制御−映像配信連携サーバであって、
前記利用者端末からの発呼時に発側の利用者端末と前記映像配信サーバとの接続と、着側の利用者端末と前記映像配信サーバとの接続と、前記発側の利用者端末と前記着側の利用者端末との接続とを行う制御手段を有することを特徴とする呼制御−映像配信連携サーバ。
【請求項１２】
前記制御手段は、呼処理プロトコルを用いて、前記発呼時に前記発側の利用者端末と前記映像配信サーバとの間のセッションの確立と、前記着側の利用者端末と前記映像配信サーバとの間のセッション確立と、前記発側の利用者端末と前記着側の利用者端末との間の通話セッションの確立とを行うことを特徴とする請求項１１記載の呼制御−映像配信連携サーバ。
【請求項１３】
前記制御手段は、前記発呼時に、前記発側利用者端末と前記映像配信サーバとの間の音声及び前記映像の双方向セッションの構築と、前記着側利用者端末と前記映像配信サーバとの間の前記音声及び前記映像の双方向セッションの構築とを行うことを特徴とする請求項１１記載の呼制御−映像配信連携サーバ。
【請求項１４】
前記利用者端末が、少なくともＷＷＷ（Ｗｏｒｌｄ  Ｗｉｄｅ  Ｗｅｂ）ブラウザ機能と映像受信機能とを含むことを特徴とする請求項１２または請求項１３記載の呼制御−映像配信連携サーバ。
【請求項１５】
前記利用者端末が、前記発呼を少なくともｈｔｔｐ（ｈｙｐｅｒ  ｔｅｘｔ  ｔｒａｎｓｆｅｒ  ｐｒｏｔｏｃｏｌ）リクエストによって行い、
ＷＷＷサーバが前記ｈｔｔｐリクエストの受信時に当該情報を送信してくることを特徴とする請求項１４記載の呼制御−映像配信連携サーバ。
【請求項１６】
前記利用者端末が、前記ＷＷＷブラウザ機能を用いて相手先電話番号の指定と前記映像の選択とを行うことを特徴とする請求項１４または請求項１５記載の呼制御−映像配信連携サーバ。
【請求項１７】
前記制御手段は、前記利用者端末が前記ＷＷＷブラウザ機能を用いて前記映像の選択を行わない場合に当該利用者端末への前記映像を選択することを特徴とする請求項１４から請求項１６のいずれか記載の呼制御−映像配信連携サーバ。
【請求項１８】
前記利用者端末が、少なくともテレビ電話端末とパーソナルコンピュータとキヨスク端末とのいずれかであることを特徴とする請求項１４から請求項１７のいずれか記載の呼制御−映像配信連携サーバ。
【請求項１９】
前記制御手段は、前記映像の配信中に前記利用者端末からの要求に応じて前記映像配信サーバに発側映像変更要求と着側映像変更要求とを送信して前記発側の利用者端末及び前記着側の利用者端末への配信中の映像を変更することを特徴とする請求項１１から請求項１８のいずれか記載の呼制御−映像配信連携サーバ。
【請求項２０】
前記制御手段は、前記利用者端末からの要求に応じて前記映像の一時停止、早送り、巻き戻しのいずれかの操作と、前記映像の他の映像への変更とのいずれかを前記映像配信サーバへの前記発側映像変更要求及び前記着側映像変更要求の送信にて行わせることを特徴とする請求項１９記載の呼制御−映像配信連携サーバ。
【請求項２１】
少なくとも音声通話機能を含む利用者端末と、前記利用者端末に映像を配信する映像配信サーバとを含むシステムに用いられる映像配信方法であって、
呼制御−映像配信連携サーバが、前記利用者端末からの発呼時に発側の利用者端末と前記映像配信サーバとの接続処理と、着側の利用者端末と前記映像配信サーバとの接続処理と、前記発側の利用者端末と前記着側の利用者端末との接続処理とを実行することを特徴とする映像配信方法。
【請求項２２】
前記呼制御−映像配信連携サーバが、呼処理プロトコルを用いて、前記発呼時に前記発側の利用者端末と前記映像配信サーバとの間のセッションの確立と、前記着側の利用者端末と前記映像配信サーバとの間のセッション確立と、前記発側の利用者端末と前記着側の利用者端末との間の通話セッションの確立とを行うことを特徴とする請求項２１記載の映像配信方法。
【請求項２３】
前記呼制御−映像配信連携サーバが、前記発呼時に、前記発側利用者端末と前記映像配信サーバとの間の音声及び前記映像の双方向セッションの構築と、前記着側利用者端末と前記映像配信サーバとの間の前記音声及び前記映像の双方向セッションの構築とを行うことを特徴とする請求項２１記載の映像配信方法。
【請求項２４】
前記利用者端末が、少なくともＷＷＷ（Ｗｏｒｌｄ  Ｗｉｄｅ  Ｗｅｂ）ブラウザ機能と映像受信機能とを含むことを特徴とする請求項２２または請求項２３記載の映像配信方法。
【請求項２５】
前記利用者端末が、前記発呼を少なくともｈｔｔｐ（ｈｙｐｅｒ  ｔｅｘｔ  ｔｒａｎｓｆｅｒ  ｐｒｏｔｏｃｏｌ）リクエストによって行い、
前記ｈｔｔｐリクエストの受信時に当該情報を前記呼制御−映像配信連携サーバに送信するＷＷＷサーバを含むことを特徴とする請求項２４記載の映像配信方法。
【請求項２６】
前記利用者端末が、前記ＷＷＷブラウザ機能を用いて相手先電話番号の指定と前記映像の選択とを行うことを特徴とする請求項２４または請求項２５記載の映像配信方法。
【請求項２７】
前記呼制御−映像配信連携サーバが、前記利用者端末が前記ＷＷＷブラウザ機能を用いて前記映像の選択を行わない場合に当該利用者端末への前記映像を選択することを特徴とする請求項２４から請求項２６のいずれか記載の映像配信方法。
【請求項２８】
前記利用者端末が、少なくともテレビ電話端末とパーソナルコンピュータとキヨスク端末とのいずれかであることを特徴とする請求項２４から請求項２７のいずれか記載の映像配信方法。
【請求項２９】
前記呼制御−映像配信連携サーバが、前記映像の配信中に前記利用者端末からの要求に応じて前記映像配信サーバに発側映像変更要求と着側映像変更要求とを送信して前記発側の利用者端末及び前記着側の利用者端末への配信中の映像を変更することを特徴とする請求項２１から請求項２８のいずれか記載の映像配信方法。
【請求項３０】
前記呼制御−映像配信連携サーバが、前記利用者端末からの要求に応じて前記映像の一時停止、早送り、巻き戻しのいずれかの操作と、前記映像の他の映像への変更とのいずれかを前記映像配信サーバへの前記発側映像変更要求及び前記着側映像変更要求の送信にて行わせることを特徴とする請求項２９記載の映像配信方法。
【請求項３１】
少なくとも音声通話機能を含む利用者端末と、前記利用者端末に映像を配信する映像配信サーバとを含むシステムに用いられる映像配信方法のプログラムであって、呼制御−映像配信連携サーバのコンピュータに、前記利用者端末からの発呼時に発側の利用者端末と前記映像配信サーバとの接続処理と、着側の利用者端末と前記映像配信サーバとの接続処理と、前記発側の利用者端末と前記着側の利用者端末との接続処理とを実行させるためのプログラム。
【発明の詳細な説明】
【技術分野】
【０００１】
本発明は映像配信システム、呼制御−映像配信連携サーバ及びそれらに用いる映像配信方法並びにそのプログラムに関し、特に端末装置に映像を配信するシステムに関する。
【背景技術】
【０００２】
従来、この種のシステムとしては、電話の発信者へ広告を表示させることで、無料電話を実現するシステムがある（例えば、特許文献１参照）。このシステムにおいては、データセンタの広告サーバがインタネットを介して接続されたＰＣ（パーソナルコンピュータ）に対して広告情報を配信して表示させている。
【０００３】
また、このシステムにおいては、データセンタのＣＴＩ（Ｃｏｍｐｕｔｅｒ  Ｔｅｌｅｐｈｏｎｙ  Ｉｎｔｅｇｒａｔｉｏｎ）サーバがこの広告情報の配信があった時に電話機と相手先電話とを接続し、データセンタのＷＷＷ（Ｗｏｒｌｄ  Ｗｉｄｅ  Ｗｅｂ）サーバが電話会社の課金サーバに対して該接続を無料にするように指示を行っている。
【０００４】
一方、テレビ会議システムにおいて、インタネットを用いて、画像データ（例えば、図面等）を閲覧しながら、通話可能とする技術もある（例えば、特許文献２参照）。このシステムでは、コラボレーションサーバが二者のユーザ端末間にセッション関係を構築している。
【０００５】
【特許文献１】特開２００２−１２５０７５号公報
【特許文献２】特開２００２−１４０２７７号公報
【発明の開示】
【発明が解決しようとする課題】
【０００６】
しかしながら、上述した従来の映像配信システムでは、特許文献１に記載の技術の場合、広告を発信者にのみ送信するものであり、広告を視聴することができるのが発信者に限られるという問題がある。また、上記の特許文献２に記載の技術では、画像データを閲覧しながら、通話可能としているが、コラボレーションサーバによってセッション関係が構築された二者のユーザ端末のうちの一方で作成される図面等を両者が閲覧または修正しながら会議を行うものであり、二者のユーザ端末両方で広告を視聴することはできない。
【０００７】
そこで、本発明の目的は上記の問題点を解消し、広告内容が同一のものを発側端末及び着側端末の両者に配信することができ、広告効果を向上させることができる映像配信システム、呼制御−映像配信連携サーバ及びそれらに用いる映像配信方法並びにそのプログラムを提供することにある。
【課題を解決するための手段】
【０００８】
本発明による映像配信システムは、少なくとも音声通話機能を含む利用者端末と、前記利用者端末に映像を配信する映像配信サーバとを含む映像配信システムであって、
前記利用者端末からの発呼時に発側の利用者端末と前記映像配信サーバとの接続と、着側の利用者端末と前記映像配信サーバとの接続と、前記発側の利用者端末と前記着側の利用者端末との接続とを行う呼制御−映像配信連携サーバを備えている。
【０００９】
本発明による呼制御−映像配信連携サーバは、少なくとも音声通話機能を含む利用者端末と、前記利用者端末に映像を配信する映像配信サーバとを含む映像配信システムに用いられる呼制御−映像配信連携サーバであって、
前記利用者端末からの発呼時に発側の利用者端末と前記映像配信サーバとの接続と、着側の利用者端末と前記映像配信サーバとの接続と、前記発側の利用者端末と前記着側の利用者端末との接続とを行う制御手段を備えている。
【００１０】
本発明による映像配信方法は、少なくとも音声通話機能を含む利用者端末と、前記利用者端末に映像を配信する映像配信サーバとを含むシステムに用いられる映像配信方法であって、
呼制御−映像配信連携サーバが、前記利用者端末からの発呼時に発側の利用者端末と前記映像配信サーバとの接続処理と、着側の利用者端末と前記映像配信サーバとの接続処理と、前記発側の利用者端末と前記着側の利用者端末との接続処理とを実行している。
【００１１】
本発明による映像配信方法のプログラムは、少なくとも音声通話機能を含む利用者端末と、前記利用者端末に映像を配信する映像配信サーバとを含むシステムに用いられる映像配信方法のプログラムであって、呼制御−映像配信連携サーバのコンピュータに、前記利用者端末からの発呼時に発側の利用者端末と前記映像配信サーバとの接続処理と、着側の利用者端末と前記映像配信サーバとの接続処理と、前記発側の利用者端末と前記着側の利用者端末との接続処理とを実行させている。
【００１２】
すなわち、本発明の映像配信システムは、端末間の通話と同時に、通話中の双方のユーザへの映像配信を実現するシステムであり、広告媒体として利用した場合に広告の効果を高めることが可能となり、映像配信システムに利用した場合に２点への映像配信を可能とすることで映像配信サービスの利便性を高めることが可能となる。
【００１３】
より具体的に説明すると、本発明の映像配信システムでは、ユーザが利用する発側利用者端末及び着側利用者端末が、ＴＶ（テレビ）電話端末、ＰＣ（パーソナルコンピュータ）、キヨスク端末等のいずれであってもかまわない、これらの端末はそれぞれ音声通話機能やＷＷＷ（Ｗｏｒｌｄ  Ｗｉｄｅ  Ｗｅｂ）ブラウザ機能、及び映像受信機能を有している。
【００１４】
これらの端末のＷＷＷブラウザ機能を用いて、ユーザは相手先電話番号を指定し、映像を選択する。この時、ユーザは映像を選択しないことも可能であり、その際には呼制御−映像配信連携サーバ（以下、連携サーバとする）によって映像が選択される。ユーザからの発呼はｈｔｔｐ（ｈｙｐｅｒ  ｔｅｘｔ  ｔｒａｎｓｆｅｒ  ｐｒｏｔｏｃｏｌ）リクエスト等によって行われる。ＷＷＷサーバはｈｔｔｐリクエストを受信すると、その情報を連携サーバへ送信する。
【００１５】
連携サーバはその情報を受信すると、発側利用者端末と映像配信サーバとの間のセッションの確立を行うことで、映像配信を行う。次に、連携サーバは着側利用者端末と映像配信サーバとの間のセッション確立を行う。最後に、連携サーバは発側利用者端末と着側利用者端末との間の通話セッションの確立を行う。
【００１６】
これによって、本発明の映像配信システムでは、ユーザが映像を受信しながら通話を行うことが可能となる。本発明の映像配信システムでは、映像として広告を用いることで、無料電話や電話代金の割引等のサービスを実現することが可能となる。また、本発明の映像配信システムでは、広告が発側利用者端末及び着側利用者端末の両方の端末に表示されることで、広告内容がユーザにとって共通の話題となるため、高い広告効果を実現することが可能となる。
【００１７】
さらに、本発明の映像配信システムでは、ユーザからのリクエストがｈｔｔｐによって行われ、通話途中からの広告配信の開始、配信広告内容の選択等、ユーザ主導の広告選択が可能となり、ユーザの興味ある分野の広告配信が可能となる。これによって、本発明の映像配信システムでは、広告の精度の高いターゲットへの配信が可能となる。
【００１８】
さらにまた、本発明の映像配信システムでは、映像を有償映像配信とすることで、物理的に離れた２点間で同一の有償動画を配信することが可能となる。これによって、本発明の映像配信システムでは、ユーザが通常一人または一箇所でしか視聴することができなかった映像を、離れた２点間で同時に受信し、また２点間での通話を行うことが可能となる。
【００１９】
本発明の映像配信システムでは、発側利用者端末及び着側利用者端末の両方のユーザへの映像配信を実現することによって、広告媒体として利用した場合に広告の効果を高めることが可能となり、映像配信システムに利用した場合に２点への映像配信を可能とすることで映像配信サービスの利便性を高めることが可能となる。
【発明の効果】
【００２０】
本発明は、以下に述べるような構成及び動作とすることで、広告内容が同一のものを発側端末及び着側端末の両者に配信することができ、広告効果を向上させることができるという効果が得られる。
【発明を実施するための最良の形態】
【００２１】
次に、本発明の実施の形態について図面を参照して説明する。図１は本発明の実施の形態による映像配信システムの構成を示すブロック図である。図１において、本発明の実施の形態による映像配信システムはデータセンタ１と、発側利用者端末５及び着側利用者端末６とをＩＰ（Ｉｎｔｅｒｎｅｔ  Ｐｒｏｔｏｃｏｌ）網１００を通して接続して構成されている。ここで、ＩＰ網１００は音声通信、映像配信が可能なネットワークである。
【００２２】
データセンタ１は呼制御−映像配信連携サーバ（以下、連携サーバとする）２と、映像配信サーバ３と、ＷＷＷ（Ｗｏｒｌｄ  Ｗｉｄｅ  Ｗｅｂ）サーバ４とを備えており、発側利用者端末５及び着側利用者端末６はそれぞれＷＷＷブラウザ機能５１，６１と、音声通話機能５２，６２と、映像受信機能５３，６３とを備えている。
【００２３】
映像配信サーバ３は映像コンテンツを複数保持しており、同時に複数のユーザに映像を配信する機能を有する。ＷＷＷサーバ４は発側利用者端末５及び着側利用者端末６のＷＷＷブラウザ機能５１，６１へ映像選択画面を提供する。この映像選択画面では相手先電話番号の入力が可能なフィールド及び映像選択手段が併せて提供される。
【００２４】
連携サーバ２はＷＷＷサーバ４からの情報を受取り、映像配信サーバ３と発側利用者端末５及び着側利用者端末６との間、発側利用者端末５と着側利用者端末６との間のセッションをＳＩＰ（Ｓｅｓｓｉｏｎ  Ｉｎｉｔｉａｔｉｏｎ  Ｐｒｏｔｏｃｏｌ）等のプロトコルを用いて構築する機能を有する。また、連携サーバ２はそのセッション構築の際に、端末の能力を調べる機能を持ち、通信先端末が映像受信機能を持たない場合に音声通話セッションのみを確立することも可能である。
【００２５】
発側利用者端末５としてはＴＶ（テレビ）電話端末、ＰＣ（パーソナルコンピュータ）、キヨスク端末等が利用可能であり、着側利用者端末６としてはＴＶ電話端末、ＰＣ、電話端末等が利用可能であり、ＴＶ電話端末やＰＣ等の映像受信機能を有する端末以外に、電話端末等の映像受信機能を持たず、音声通話機能のみを持つ端末であってもよい。
【００２６】
これら発側利用者端末５及び着側利用者端末６のＷＷＷブラウザ機能５１，６１を用いて、ユーザは相手先電話番号を指定して映像を選択する。この時、ユーザは映像を選択しないことも可能であり、その際には連携サーバ２によって映像が選択される。ユーザからの発呼はｈｔｔｐ（ｈｙｐｅｒ  ｔｅｘｔ  ｔｒａｎｓｆｅｒ  ｐｒｏｔｏｃｏｌ）リクエスト等によって行われる。ＷＷＷサーバ４はｈｔｔｐリクエストを受信すると、その情報を連携サーバ２へ送信する。
【００２７】
連携サーバ２はその情報を受信すると、発側利用者端末５と映像配信サーバ３との間のセッションの確立を行うことで、映像配信を行う。次に、連携サーバ２は着側利用者端末６と映像配信サーバ３との間のセッション確立を行う。最後に、連携サーバ２は発側利用者端末５と着側利用者端末６との間の通話セッションの確立を行う。
【００２８】
これによって、本実施の形態による映像配信システムでは、ユーザが映像を受信しながら通話を行うことができる。本実施の形態による映像配信システムでは、映像として広告を用いることで、無料電話や電話代金の割引等のサービスを実現することができる。また、本実施の形態による映像配信システムでは、広告が発側利用者端末５及び着側利用者端末６の両方の端末に表示されることで、広告内容がユーザにとって共通の話題となるため、高い広告効果を実現することができる。
【００２９】
さらに、本実施の形態による映像配信システムでは、ユーザからのリクエストがｈｔｔｐによって行われ、通話途中からの広告配信の開始、配信広告内容の選択等、ユーザ主導の広告選択が可能となり、ユーザの興味ある分野の広告配信が可能となる。これによって、本実施の形態による映像配信システムでは、広告の精度の高いターゲットへの配信が可能となる。
【００３０】
さらにまた、本実施の形態による映像配信システムでは、映像を有償映像配信とすることで、物理的に離れた２点間で同一の有償動画を配信することができる。これによって、本実施の形態による映像配信システムでは、ユーザが通常一人または一箇所でしか視聴することができなかった映像を、離れた２点間で同時に受信し、また２点間での通話を行うことができる。
【００３１】
本実施の形態による映像配信システムでは、発側利用者端末５及び着側利用者端末６の両方のユーザへの映像配信を実現することによって、広告媒体として利用した場合に広告の効果を高めることができ、映像配信システムに利用した場合に２点への映像配信を可能とすることで映像配信サービスの利便性を高めることができる。
【実施例１】
【００３２】
次に、本発明の実施例について図面を参照して説明する。図２は本発明の一実施例による連携サーバの構成を示すブロック図である。尚、本発明の一実施例による映像配信システムは上記の図１に示す本発明の実施の形態による映像配信システムと同様の構成となっており、図２は図１に示す連携サーバ２の構成を示している。
【００３３】
図２において、連携サーバ２は各種処理を実行するＣＰＵ（中央処理装置）２１と、ＣＰＵ２１が実行する制御プログラム２２ａを格納するメインメモリ２２と、ＣＰＵ２１が制御プログラム２２ａを実行する際に作業領域として使用する記憶装置２３と、ＩＰ網１００との通信を制御する通信制御部２４とから構成されている。尚、ＣＰＵ２１、メインメモリ２２、記憶装置２３、通信制御部２４はそれぞれ内部バス２１０を介して相互に接続されている。
【００３４】
記憶装置２３は通信制御部２４を通して発側利用者端末５及び着側利用者端末６や映像配信サーバ３、及びＷＷＷサーバ４との通信を行うための通信情報を含むユーザ情報を保持するユーザ情報保持部２３１と、映像配信サーバ３から発側利用者端末５及び着側利用者端末６に配信される映像の情報を保持する映像配信情報保持部２３２とを含んで構成されている。
【００３５】
図３は本発明の一実施例による映像配信システムの動作を示すシーケンスチャートである。これら図１〜図３を参照して本発明の一実施例による映像配信システムの動作について説明する。尚、図３における連携サーバ２の動作は上記のＣＰＵ２１が制御プログラム２２ａを実行することで実現される。
【００３６】
発側利用者端末５のＷＷＷブラウザ機能５１がＷＷＷサーバ４へ画面取得リクエストを送信すると（図３のａ１参照）、ＷＷＷサーバ４はＷＷＷブラウザ機能５１に映像選択画面を送信する（図３のａ２参照）。映像選択画面には着側利用者端末６の電話番号を入力するフィールド及び配信映像を選択するための映像選択手段（例えば、配信映像のリスト等）が設けられている。
【００３７】
発側利用者端末５のユーザはＷＷＷブラウザ機能５１によって表示される映像選択画面上で、着側利用者端末６の電話番号を指定して発呼を行う。これによって、発側利用者端末５からＷＷＷサーバ４へｈｔｔｐリクエストが送信される（図３のａ３参照）。その際、ｈｔｔｐリクエストでは着側利用者端末６の電話番号が指定される。また、この時には発側利用者端末５の電話番号を指定してもよい。
【００３８】
ｈｔｔｐリクエストによって発側利用者端末５の電話番号が指定されない場合には、ＷＷＷサーバ４または連携サーバ２の内部に有するユーザ情報（ユーザ情報保持部２３１に保持されたユーザ情報等）から発側利用者端末５の電話番号が取得される。
【００３９】
ＷＷＷサーバ４はｈｔｔｐリクエストを受信すると、連携サーバ２へ呼処理、映像配信リクエストを送信する（図３のａ４参照）。この時、呼処理、映像配信リクエストでは、発側利用者端末５の電話番号、着側利用者端末６の電話番号、配信映像が指定される。
【００４０】
連携サーバ２は呼処理、映像配信リクエストを受信すると、ＳＩＰ等の呼処理プロトコルを用いて、発側利用者端末５との間で、発側呼制御、映像配信セットアップを行う（図３のａ５参照）。これによって、発側利用者端末５では着側利用者端末６との通話設定及び映像配信受信設定がなされる。次に、連携サーバ２は発側映像配信リクエストを映像配信サーバ３に送信する（図３のａ６参照）。映像配信サーバ３は発側映像配信リクエストを受信すると、発側利用者端末５に映像配信を行う（図３のａ７参照）。
【００４１】
続いて、連携サーバ２はＳＩＰ等の呼処理プロトコルを用いて、着側利用者端末６との間で、着側呼制御、映像配信セットアップを行う（図３のａ８参照）。これによって、着側利用者端末６では発側利用者端末５との通話設定及び映像配信受信設定がなされる。次に、連携サーバ２は着側映像配信リクエストを映像配信サーバ３に送信する（図３のａ９参照）。映像配信サーバ３は着側映像配信リクエストを受信すると、着側利用者端末６に映像配信を行う（図３のａ１０参照）。
【００４２】
最後に、連携サーバ２は発側利用者端末５及び着側利用者端末６それぞれに通話開始メッセージを送信する（図３のａ１１，ａ１２参照）。これによって、発側利用者端末５と着側利用者端末６との間では通話が開始される（図３のａ１３参照）。
【００４３】
このように、本実施例では、通話中の発側利用者端末５及び着側利用者端末６の２者に映像配信を行うことで、サービスの効果を高めることができる。本実施例では、映像配信として広告配信を行うことで、同一の広告内容が発側利用者端末５及び着側利用者端末６の両者に配信されることとなり、発側利用者端末５及び着側利用者端末６の両者に共通の話題を提供することととなるので、広告効果を向上させることができる。
【００４４】
また、本実施例では、有償の映像配信サービスと連携させることで、通常一人または一箇所でしか視聴することができない映像を、物理的に離れた２点間での同時映像受信が可能となり、それにあわせて２点間の通話も可能となる。
【実施例２】
【００４５】
図４は本発明の他の実施例による映像配信システムの動作を示すシーケンスチャートである。本発明の他の実施例による映像配信システムは上記の図１に示す本発明の実施の形態による映像配信システムと同様の構成となっており、図１に示す連携サーバ２も図２に示す構成と同様の構成となっている。これら図１と図２と図４とを参照して本発明の他の実施例による映像配信システムの動作について説明する。尚、図４における連携サーバ２の動作は上記のＣＰＵ２１が制御プログラム２２ａを実行することで実現される。
【００４６】
図４では図３に示す処理が行われ、発側利用者端末５及び着側利用者端末６の両者への映像配信と、発側利用者端末５と着側利用者端末６との間での通話が行われている（図４のｂ１〜ｂ３参照）。この状態で、発側利用者端末５は、再度、画面取得リクエストを送信する（図４のｂ４参照）。
【００４７】
ＷＷＷサーバ４は画面取得リクエストを受信すると、映像受信中画面を発側利用者端末５へ送信する（図４のｂ５参照）。映像受信中画面では、受信中の映像の一時停止、早送り、巻き戻し等の操作に加え、他の映像への変更が可能である。他の映像が選択された場合、発側利用者端末５は変更先映像を指定したｈｔｔｐリクエストを送信する（図４のｂ６参照）。
【００４８】
ＷＷＷサーバ４はｈｔｔｐリクエストを受信すると、再度、映像配信リクエストを連携サーバ２へ送信する（図４のｂ７参照）。連携サーバ２は映像配信中に、再度、映像配信リクエストを受信すると、映像配信サーバ３へ発側映像変更リクエストを送信する（図４のｂ８参照）。映像配信サーバ３は発側映像変更リクエストを受信すると、発側利用者端末５への映像配信を停止し、指定された変更先映像を発側利用者端末５へ配信する（図４のｂ９参照）。
【００４９】
次に、連携サーバ２は映像配信サーバ３へ着側映像変更リクエストを送信する（図４のｂ１０参照）。映像配信サーバ３は着側映像変更リクエストを受信すると、着側利用者端末６への配信中の映像を停止し、指定された変更先映像を着側利用者端末６へ配信する（図４のｂ１１参照）。
【００５０】
このように、本実施例では、映像受信中に、ＷＷＷブラウザ機能５１が利用可能である発側利用者端末５を利用する。これによって、映像受信中にＷＷＷブラウザ機能５１によって受信中映像の一時停止、早送り、巻き戻し等の操作に加え、他の映像への変更等のインタラクティブな動作が可能となる。
【実施例３】
【００５１】
図５は本発明の別の実施例による映像配信システムの動作を示すシーケンスチャートである。本発明の別の実施例による映像配信システムは上記の図１に示す本発明の実施の形態による映像配信システムと同様の構成となっており、図１に示す連携サーバ２も図２に示す構成と同様の構成となっている。これら図１と図２と図５とを参照して本発明の別の実施例による映像配信システムの動作について説明する。尚、図５における連携サーバ２の動作は上記のＣＰＵ２１が制御プログラム２２ａを実行することで実現される。
【００５２】
本実施例では、連携サーバ２が呼制御、映像配信リクエストを受信すると、発側利用者端末５と映像配信サーバ３との間に音声、映像の双方向セッションを構築する（図５のｃ１〜ｃ７参照）。
【００５３】
次に、連携サーバ２は着側利用者端末６と映像配信サーバ３との間に、音声、映像の双方向セッションを構築する（図５のｃ８〜ｃ１０参照）。本実施例はこれらの点で、上記の本発明の一実施例、他の実施例と異なる。この２つのセッションを利用して、映像配信サーバ３からの発側利用者端末５、着側利用者端末６への映像配信及び発側利用者端末５と着側利用者端末６との間の音声通話を可能とする。
【００５４】
音声通話を可能とするために、映像配信サーバ３では２つのセッション間で、発側利用者端末５からの音声情報を着側利用者端末６へ、着側利用者端末６からの音声情報を発側利用者端末５へと転送する機能を有している。また、利用者端末から映像配信サーバ３への画像送信は行われない。本実施例では、端末が音声通話と映像受信の２セッションを同時に扱えないが、音声、映像の双方向通信が可能であるＴＶ電話端末等における本方式の適用を可能とする。
【図面の簡単な説明】
【００５５】
【図１】本発明の実施の形態による映像配信システムの構成を示すブロック図である。
【図２】本発明の一実施例による呼制御−映像配信連携サーバの構成を示すブロック図である。
【図３】本発明の一実施例による映像配信システムの動作を示すシーケンスチャートである。
【図４】本発明の他の実施例による映像配信システムの動作を示すシーケンスチャートである。
【図５】本発明の別の実施例による映像配信システムの動作を示すシーケンスチャートである。
【符号の説明】
【００５６】
１  データセンタ
２  呼制御−映像配信連携サーバ
３  映像配信サーバ
４  ＷＷＷサーバ
５  発側利用者端末
６  着側利用者端末
２１  ＣＰＵ
２２  メインメモリ
２２ａ  制御プログラム
２３  記憶装置
２４  通信制御部
５１，６１  ＷＷＷブラウザ機能
５２，６２  音声通話機能
５３，６３  映像受信機能
１００  ＩＰ網
２１０  内部バス
２３１  ユーザ情報保持部
２３２  映像配信情報保持部
【図１】
2006352389.tif 000003
【図２】
2006352389.tif 000004
【図３】
2006352389.tif 000005
【図４】
2006352389.tif 000006
【図５】
2006352389.tif 000007